(57)【特許請求の範囲】
【請求項１】
反射基板上に、該反射基板の反射光と異なる色に着色された透明フィルム層が感圧接着剤の層を介して剥離可能に設けられ、該透明フィルム層の一部を、該透明フィルム層により所望の形状が形成されるように切り取って使用される再帰反射シートであって、
上記透明フィルム層と上記反射基板との剥離力が２５〜４００ｇｆ／２５ｍｍであり、且つ該透明フィルム層を該反射基板に５ｋｇｆ／ｃｍ2 で押圧した後の該透明フィルム層と該反射基板との剥離力が７００ｇｆ／２５ｍｍ以上であることを特徴とする再帰反射シート。
【請求項２】
上記感圧接着剤の層の上記反射基板の側の表面に、固体粒子が分散固定されている請求項１記載の再帰反射シート。
【請求項３】
上記固体粒子の構成材料の屈折率が、上記感圧接着剤の屈折率の８０〜１２０％である請求項２記載の再帰反射シート。
【請求項４】
上記固体粒子が、有機質固体粒子である請求項２又は３記載の再帰反射シート。
【請求項５】
上記固体粒子の平均粒径が、１０〜６０μｍである請求項２〜４の何れかに記載の再帰反射シート。
【請求項６】
上記固体粒子の上記感圧接着剤の層の表面積に対する被覆率が、５〜３０％である請求項２〜５の何れかに記載の再帰反射シート。
【請求項７】
上記感圧接着剤の層は、該感圧接着剤非塗布部が分散形成されるように上記反射基板上に塗布されている請求項１〜６の何れかに記載の再帰反射シート。
【発明の詳細な説明】
【０００１】
【発明の属する技術分野】
本発明は、再帰反射シート、詳しくは、道路標識、案内標識、工事標識等の標識類等において有用な再帰反射シートに関する。
【０００２】
【従来の技術及び発明が解決しようとする課題】
従来より、入射した光を光源方向に向けて反射させる再帰反射シートはよく知られており、その反射性能に基づく夜間の優れた視認性を利用して種々の技術分野で使用されている。例えば、再帰反射シートを用いた道路標識、工事標識等は、夜間等において、走行する自動車等の車輌のヘッドライト等の光源からの光を光源方向、即ち走行する車両の方向へ向けて反射させ、標識の視認者である車輌の運転者に対し優れた視認性を提供し、明確な情報伝達を可能にするという優れた特性を有している。
【０００３】
このような再帰反射シートにおける情報伝達のための文字や模様の形成は、反射基板に直接その文字や模様をスクリーン印刷したり、又はその文字や模様のフィルムを反射基板上に切り貼りすることにより行われている。例えば、日本の警戒標識は、白地の再帰反射シートに直接文字や模様をスクリーン印刷することにより形成されている。また、日本の高速道路の道路標識は、緑地の反射基板を用い、一般道路の道路標識は、青地の反射基板を用い、それぞれの反射基板上に白の再帰反射シートの切り文字や模様を貼付することにより形成されている。このような異なる作業の組み合せにより標識類を形成すると、文字や模様の形成に手間がかかってしまう。そこで、切り貼りやスクリーン印刷の手間が無く、例えばコンピューターカッティングマシン等で再帰反射シート上に貼付された着色透明フィルムの一部を切り剥がすことにより、情報伝達のための優れた視認性を有する文字や模様を容易に形成できる再帰反射シートが要望されている。
しかし、フィルム層の一部を切り取った再帰反射シートでは、一般にフィルム層の剥離力を強くすると、フィルム層の剥離が困難なため、上記文字や模様の形成が困難となり、また、フィルム層の一部を剥離し易くして切り取りを容易にすると、使用中にフィルム層が剥がれてしまうという問題がある。
【０００４】
また、上記のような再帰反射シートの従来の技術としては、例えば、米国特許第４，２６８，１１７号明細書には、基材再帰反射シート上に、感圧接着剤層及び感熱接着剤層の２種類の接着剤層を介してフィルム層が設けられた再帰反射シートが開示されており、また、米国特許第４，０８５，３１４号明細書には、基材再帰反射シート上に、接着剤層を介して被覆フィルム層が設けられ、該被覆フィルム層に予め切り込みが設けられている再帰反射シートが開示されている。
しかし、２種類の接着剤層を使用した上記の再帰反射シートでは、製造の際に接着剤層形成のために二工程を設けなくてはならず、さらに適切な２種類の接着剤を選定する必要があるという問題がある。
【０００５】
従って、本発明の目的は、情報伝達のための優れた視認性を有する文字や模様を容易に且つ安価に形成でき、且つ使用中にフィルム層が剥がれ難い再帰反射シートを提供することにある。
【０００６】
【課題を解決するための手段】
本発明は、反射基板上に、該反射基板の反射光と異なる色に着色された透明フィルム層が感圧接着剤の層を介して剥離可能に設けられ、該透明フィルム層の一部を、該透明フィルム層により所望の形状が形成されるように切り取って使用される再帰反射シートであって、
上記透明フィルム層と上記反射基板との剥離力を、２５〜４００ｇｆ／２５ｍｍとし、且つ該透明フィルム層を該反射基板に５ｋｇｆ／ｃｍ2 で押圧した後の該透明フィルム層と該反射基板との剥離力を、７００ｇｆ／２５ｍｍ以上としたものである。
【０００７】
【発明の実施の形態】
以下、本発明の再帰反射シートをその好ましい実施形態に基づいて図面を参照しながら詳細に説明する。
図１は、本発明の再帰反射シートの第１実施形態を示す概略断面図、図２は、図１の再帰反射シートの一使用形態の要部を示す概略断面図、図３は、図１の再帰反射シートの要部を拡大して示す概略断面図、図４は、図１の再帰反射シートの一使用形態を示す平面図である。
【０００８】
第１実施形態の再帰反射シート１は、図１に示すように、反射基板２上に、該反射基板２の反射光と異なる色に着色された透明フィルム層４が感圧接着剤の層３を介して剥離可能に設けられたものである。
【０００９】
また、第１実施形態の再帰反射シート１は、図２に示すように、該透明フィルム層４の一部４’を、該透明フィルム層４により所望の形状が形成されるように切り取って使用されるものである。第１実施形態の所望の上記形状は、図４に示すように、文字や模様等の情報領域６が透明フィルム層４の一部４’を切り取って現れた反射基板２の部分２’で形成され、背景領域７が透明フィルム層４で形成される中抜きタイプ（ネガタイプ）のものである。尚、所望の上記形状は、背景領域７が透明フィルム層４の一部４’を切り取って現れた反射基板２の部分２’で形成され、文字や模様等の情報領域６が透明フィルム層４で形成される外抜きタイプ（ポジタイプ）のものであってもよい。
【００１０】
そして、第１実施形態に用いられる上記透明フィルム層と上記反射基板との剥離力は、２５〜４００ｇｆ／２５ｍｍ、好ましくは５０〜３００ｇｆ／２５ｍｍ、更に好ましくは７０〜２５０ｇｆ／２５ｍｍである。該剥離力が２５ｇｆ／２５ｍｍ未満であると、透明フィルム層の一部分を切り取ってポジタイプのものとする際、情報領域となる部分が剥離しやすくなり、４００ｇｆ／２５ｍｍを超えると、同様に透明フィルム層の一部分を切り取ってポジタイプのものとする際、情報領域以外の部分の透明フィルム層に切れ等が発生し剥離不能となってしまう。
ここで、上記透明フィルム層と上記反射基板との剥離力は、引っ張り試験機を用いて、該透明フィルム層を感圧接着剤の層と一体にして、該反射基板に対して１８０°方向となるように引っ張ることにより測定することができる。
【００１１】
また、上記透明フィルム層を上記反射基板に５ｋｇｆ／ｃｍ2 で押圧した後の該透明フィルム層と該反射基板との剥離力は、７００ｇｆ／２５ｍｍ以上、好ましくは１０００ｇｆ／２５ｍｍ以上、更に好ましくは１２００ｇｆ／２５ｍｍ以上である。該剥離力が７００ｇｆ／２５ｍｍ未満であると、屋外等の過酷な環境条件下に暴露された場合、透明フィルム層が剥離し易くなるため好ましくない。なお、上記透明フィルム層を上記反射基板に５ｋｇｆ／ｃｍ2 で押圧した後の該透明フィルム層と該反射基板との剥離力は大きければ大きいほど好ましいが、該剥離力の上限は通常４０００ｇｆ／２５ｍｍ程度である。
ここで、上記透明フィルム層を上記反射基板に押圧する際の加圧条件は、例えば、手圧、ゴムロール加圧、スキージ加圧等の任意の手段で賦与することができ、必要に応じて加熱しながら加圧することもできる。
【００１２】
第１実施形態に用いられる感圧接着剤は、透明フィルム層の全面に塗布されて感圧接着剤の層を形成するものである。該感圧接着剤の例としては、上述の剥離力性能を発揮し、且つ透明フィルム層における光の透過及び反射基板における光の反射を阻害しないものであれば特に制限されず、例えば、（メタ）アクリル系樹脂、酢酸ビニル系樹脂、ポリエステル系樹脂、ウレタン系樹脂、ゴム系樹脂、フッ素系樹脂、シリコーン系樹脂等が好ましい例として挙げられる。これらの中でも、透明性、耐候性に優れ、比較的安価で加工適性の優れている（メタ）アクリル系樹脂が特に好ましい。
【００１３】
上記感圧接着剤の層の厚みは、２０〜１００μｍ、特に３０〜７０μｍであることが、押圧後の透明フィルム層と反射基板との剥離力発現効果の点で好ましい。
【００１４】
第１実施形態の再帰反射シートにおいては、図３に示すように、上記感圧接着剤の層３の上記反射基板２の側の表面に、上記透明フィルム層４と上記反射基板２との剥離力が上述の範囲となるように、固体粒子５が分散固定されている。
【００１５】
このような固体粒子の例としては、上記透明フィルム層と上記反射基板との剥離力を上述した範囲内とし、且つ該透明フィルム層における光の透過及び該反射基板における光の反射を阻害しないものであれば特に制限されず、例えば、炭酸バリウム、硫酸カルシウム、硫酸バリウム、硫酸アルミニウム、二硫化モリブデン、水酸化アルミニウム、アルミナ、シリカ、酸化マグネシウム、酸化カルシウム、ガラスビーズ等の無機質固体粒子や、スチレン樹脂、塩化ビニル樹脂、（メタ）アクリル系樹脂、ポリプロピレン樹脂、ポリエチレン樹脂、メラミン樹脂、尿素樹脂、シリコーン樹脂その他の樹脂類等の有機質固体粒子等が挙げられ、中でも有機質固定粒子が好ましく、また、押圧後、感圧接着剤と一体化する観点で、感圧接着剤の構成材料と同じものが好ましい。更には、固体粒子、透明フィルム層及び感圧接着剤それぞれの構成材料が同じであることが好ましく、最も好ましくはこれらの構成材料が何れも（メタ）アクリル系樹脂であることが好ましい。
【００１６】
また、上記固体粒子としては、中空及び非中空の何れの粒子を用いることもできるが、特に、非中空の粒子を用いることが光に対する散乱を防ぐことができるため好ましい。
【００１７】
上記固体粒子の平均粒径は、１０〜６０μｍ、特に２０〜４０μｍであることが押圧後の透明フィルム層と反射基板との剥離力発現効果の点で好ましい。
【００１８】
また、上記固体粒子の上記感圧接着剤の層の表面積に対する被覆率は、５〜３０％、特に１０〜２０％であることが、押圧前後における透明フィルム層と反射基板との剥離力のバランスの点で好ましい。尚、ここでいう被覆率とは、上記感圧接着剤の層の反射基板の側の表面（一平面）に現れている固体粒子の部分の面積の上記感圧接着剤の層の表面積に対する割合をいう。
【００１９】
上記固体粒子を上記感圧接着剤の層の反射基板の側の表面に分散固定するには、例えば、粉打ち機、粉末撒布機、粉末噴霧機等を用いる手段により施すことができる。このようにして、該固体粒子はその一部が該感圧接着剤の層中に埋設され、該感圧接着剤の層の表面に分散固定される。
【００２０】
上記固体粒子を上記のように分散固定したときに、上記感圧接着剤の層の反射基板の側の表面に形成される該固体粒子の層は、図３に示すように、該感圧接着剤の層の一部を構成する。
上記感圧接着剤の層は、上記固体粒子の分散厚み（固体粒子が感圧接着剤の層から突出した部分の厚みＬの平均値、図３参照）が、３〜３０μｍ、特に５〜２０μｍとなるように該固体粒子が分散固定された状態下に反射基板に接着されることが押圧後の透明フィルム層と反射基板との剥離力発現効果の点で好ましい。
【００２１】
また、上記固体粒子の構成材料の屈折率は、上記感圧接着剤の屈折率の８０〜１２０％、特に９０〜１１０％であることが感圧接着剤の層の透明性を向上させる点で好ましい。
【００２２】
第１実施形態に用いられる透明フィルム層は、反射基板の反射光と異なる色に着色され、上記感圧接着剤の層を介して剥離可能に設けられたものである。
本発明において「異なる色」とは、同一色相でも明度の異なるもの、彩度の異なるもの、さらには無彩色も含み、肉眼で識別可能な程度に異なる色をいう。識別可能である限り、透明フィルム層の色は特に制限されないが、該透明フィルム層と該反射光との色の差が大きいほど、文字や模様を明確に判断でき、識別力が高まる（視認性が向上する）ため好ましい。
【００２３】
上記透明フィルム層の構成材料の例としては、例えば、（メタ）アクリル系樹脂、ウレタン系樹脂、ポリエステル系樹脂、塩化ビニル系樹脂、塩化ビニリデン系樹脂、フッ素系樹脂等が挙げられ、特に、上記固体粒子の構成材料と同じものが好ましい。更には、前述したように、透明フィルム層、感圧接着剤及び固体粒子それぞれの構成材料が何れも同じであること、特にこれらの構成材料が何れも（メタ）アクリル系樹脂であることが好ましい。
【００２４】
上記透明フィルム層の厚みは、２０〜１５０μｍ、特に４０〜１２０μｍであることが、情報伝達のための文字や模様の切り取り加工性に優れるの点で好ましい。
【００２５】
本実施形態に用いられる反射基板としては、従来公知のものが用いられる。例えば、特開平８−１５２５０８号公報に記載されたような封入レンズ型再帰反射シート、カプセルレンズ型再帰反射シート等のレンズ型再帰反射シートや、特開平１０−１２３３０９号公報に記載されたような三角錐キューブコーナー型再帰反射シート等が反射基板として用いられ、特に、カプセルレンズ型再帰反射シート及び三角錐キューブコーナー型再帰反射シートが好適である。
【００２６】
上記レンズ型再帰反射シートからなる反射基板は、図１及び図２に示すように、表面保護層２１及びビーズ保持層２２からなるものであり、該表面保護層２１は、光反射機能を有するガラスビーズ表面への水、ホコリ等の接触を防ぎ、安定した光反射能を維持するという機能を有する層であり、該ビーズ保持層２２は、光反射機能を有するガラスビーズを一定の位置に固定することにより、光反射能を維持するという機能を有する層である。
上記表面保護層２１の例としては、アクリル系樹脂、ポリエステル系樹脂、塩化ビニル系樹脂、塩化ビニリデン系樹脂、ウレタン系樹脂、ポリエチレン系樹脂、フッ素系樹脂、メラミン系樹脂等が挙げられる。
上記ビーズ保持層２２の例としては、アクリル系樹脂、ポリエステル系樹脂、ウレタン系樹脂、メラミン系樹脂等が挙げられる。
【００２７】
第１実施形態の再帰反射シートにおいては、上述したように、上記感圧接着剤の層３の反射基板２の側の表面に、透明フィルム層４と反射基板２との剥離力が上述の範囲となるように、固体粒子５が分散固定された構成としている（図３参照）ため、図２に示すように該透明フィルム層４の一部４’を感圧接着剤の層３の一部と一体にして該反射基板２から切り取る（剥離する）ことを容易にすることができる。従って、例えば、コンピューターカッティングマシン等により該透明フィルム層の一部を感圧接着剤の層３の一部と一体にして所望の形状に切り取って情報伝達のための文字や模様の形成が容易となる。また、上述の如く切り取った後、再帰反射シートにおける透明フィルム層を反射基板に上記圧力で押圧すると、感圧接着剤の層の表面の固体粒子が該感圧接着剤の中に入り込み（埋設し）、その影響で透明フィルム層と反射基板との剥離力が強化されるため、使用中に該透明フィルム層が剥がれ難くなる。
【００２８】
従って、第１実施形態の再帰反射シートは、例えば、道路標識、案内標識、工事標識等の標識類等、特に夜間に自動車等のライトを反射して、情報を伝達するための文字や模様を認識させる道路標識に好適に用いられる。
【００２９】
次に、図５に示す本発明の再帰反射シートの第２実施形態について説明する。図５は、本発明の再帰反射シートの第２実施形態を透明フィルム層を省略して示す平面図である。
【００３０】
第２実施形態の再帰反射シートが第１実施形態の再帰反射シートと異なる点は、第１実施形態においては感圧接着剤を透明フィルム層４の全面に塗布し、その上に固体粒子を分散固定したのに対して、本実施形態では固体粒子を用いず、その代わりに上記感圧接着剤を上記透明フィルム層４上に、該感圧接着剤の非塗布部８が分散形成されるように塗布して、感圧接着剤の層３を形成した点である。このように、第２実施形態は、該非塗布部８を分散形成することにより、上記透明フィルム層４と上記反射基板２との剥離力及び該透明フィルム層４を該反射基板２に５ｋｇｆ／ｃｍ2 で押圧した後の剥離力を上述の範囲としたものである。
【００３１】
上記非塗布部の形状としては、特に限定されるものではないが、例えば、図５に示すように、多数の正方形が一定の間隔で規則的に配列した形状（塗布部が網目状に配列した形状）、円形形状及びその逆パターン等であることができる。
【００３２】
上記非塗布部の大きさは、押圧前後における透明フィルム層と反射基板との剥離力のバランスが前述の範囲を満足すれば特に限定されるものではないが、非塗布部が透明フィルム層全体にわたりほぼ均一に分散形成されていることが好ましい。
【００３３】
上記感圧接着剤は上記透明フィルム層上に、塗布面積比（感圧接着剤の塗布面積／透明フィルム層の全面積）が２０〜６０％、特に３０〜５０％となるよう塗布して上記非塗布部を形成することが、押圧前後における透明フィルム層と反射基板との剥離力のバランスの点で好ましい。また、上記感圧接着剤の層３の厚みは、第１実施形態の場合と同程度である。
【００３４】
第２実施形態の再帰反射シートにおいては、上記感圧接着剤の層３は、該感圧接着剤の非塗布部８を分散形成しているため、上記透明フィルム層４の一部４’が上記反射基板２から切り取り易くなり、また、該透明フィルム層４を該反射基板２に上記圧力で押圧すると、該非塗布部８の大部分が減少又は消滅するため該透明フィルム層４が該反射基板２から剥がれ難くなる。従って、第２実施形態の再帰反射シートは、第１実施形態の再帰反射シートと同様の効果を得ることができる。
【００３５】
次に、図６に示す本発明の再帰反射シートの第３実施形態について説明する。図６は、本発明の再帰反射シートの第３実施形態の一使用形態の要部を示す概略断面図である。
第３実施形態の再帰反射シートは、上記透明フィルム層４上に、更に、該透明フィルム層４と異なる色に着色された別の透明フィルム層９を感圧接着剤層３を介して設けられたものである。この場合、別の透明フィルム層９は、一層以上で設けることができる。このようにすることで、再帰反射シートを種々の用途に適用することができる。このような第３実施形態の再帰反射シートも、第１実施形態の再帰反射シートと同様の効果を発揮するものである。
【００３６】
上記の第１実施形態において説明し上記の第２及び第３実施形態において説明しなかった構成要件については、第１実施形態で説明したことが第２及び第３実施形態に適用される。
【００３７】
本発明の再帰反射シートは、上述した好ましい実施形態に限定されない。
例えば、透明フィルム層は、１色でなく、色分けされていてもよいし、模様や図柄等を有していてもよい。
また、透明フィルム層の一部を切り取るための手段は、上記のコンピューターカッティングマシンに限らず、他の種々の手段を用いてもよい。
また、第１実施形態及び第２実施形態の透明フィルム層を、第３実施形態のような形態に限らず、種々の多層構造としたものであってもよい。
【００３８】
また、第１実施形態、第２実施形態及び第３実施形態を適宜組み合わせて実施することもできる。例えば、上記感圧接着剤の層の上記反射基板の側の表面に上記固体粒子が分散固定されている第１実施形態の感圧接着剤の層は、第２実施形態の感圧接着剤の層のように、非塗布部が分散形成されるように上記透明フィルム層に塗布されたものであってもよい。また、上記各実施形態で用いられる反射基板には、その裏面側（透明フィルム層と当接する面と反対の面側）に、該反射基板をアルミニウム等の板等に貼付する際に使用される設置用接着剤層、及び板等に反射基板を貼付するまで該設置用接着剤層にゴミ、ホコリ等が付着するのを防ぐための、フィルムや紙等からなる設置用接着剤保護層を設けてもよい。
【００３９】
【実施例】
以下、実施例及び比較例を挙げて、本発明を更に詳細に説明する。
【００４０】
実施例１〜８
透明フィルム層に感圧接着剤の層をラミネートした透明カル（日本カーバイド工業（株）製；商品名「ニッカライトＡ１０６Ｐ」、フィルム組成；アクリル共重合体、フィルム厚み；約７５μｍ、フィルム色；青色透明、感圧接着剤組成；アクリル共重合体、感圧接着剤の層厚み；６０μｍ）の感圧接着剤の層上（透明フィルム層と反対側の面上）に、表１に示す固体粒子を均一に散布し、剥離紙を当てた後、調節された圧力を加えて、固体粒子の被覆率及び分散厚みが表１に示した値になるように、固体粒子を感圧接着剤の層中に埋設した。
次に、上記固体粒子を埋設した透明カルから剥離紙を取り除き、その固定粒子の埋設側に、裏面側に設置用接着剤層及び設置用接着剤保護層を有するカプセルレンズ型反射基板（日本カーバイド工業（株）製；「ニッカライトＵＬＳ  Ｆ８１２」、反射光色；白色）の表面側を重ね合わせ、２ｋｇｆ／ｃｍ2 で押圧して貼り合わせることにより、図１に示す構造の再帰反射シートを作成した。
【００４１】
実施例９
実施例１〜８で使用した透明カルの感圧接着剤の層を固体粒子を埋設せずに単独で用い、該感圧接着剤の層を、厚み６０μｍ、該感圧接着剤の塗布面積が透明フィルム層全面積の約３５％になるように格子状に塗布し、乾燥した層とした以外は、全て実施例１と同様にして図５に示す再帰反射シートを作成した。
【００４２】
実施例１０
実施例１〜８で使用したカプセルレンズ型反射基板の代わりに、裏面側に設置用接着剤層及び設置用接着剤保護層を有する三角錐キューブコーナー型再帰反射基板（日本カーバイド工業（株）製；「ニッカライト  クリスタル  ９０８０２」、反射光色；白色）を使用した以外は、全て実施例１と同様にして図１に示す再帰反射シートを作成した。
【００４３】
比較例１〜３
表１で示した比較例１〜３の条件以外は、全て実施例１と同様にして図１に示す再帰反射シートを作成した。
【００４４】
＜剥離力の測定法＞
実施例１〜１０及び比較例１〜３の再帰反射シートを試験サンプルとして用い、引っ張り試験器（型式「ＭＯＤＥＬ  ＵＣＴ−５Ｔ」、（株）オリエンテック製）により、試験サンプルの透明フィルム層部分にカッターで切り目を入れ、透明フィルム層の一部を反射基板から剥離した後、試験サンプルの一端をロードセル側チャックに固定し、一部剥離した透明フィルム層の一端を他の一方の固定側チャックに固定し、引張速度３００ｍｍ／ｍｉｎで１８０°剥離力を測定した。
＜カッティング作業性＞
カッティングマシーン（型式「ＣＦ−１２０」、ミマキエンジニヤリング（株）製）を用いて、試験サンプルにおける透明フィルム層のカッティングを行い、試験サンプルのシート状態を観察し、カッティング作業性を評価した。
＜剥離作業性＞
上記のカッティングマシーンによってカットされた試験サンプルから剥離すべき部分を剥離し、剥離状態を観察した。
＜屋外暴露＞
剥離すべき部分を剥離して得られた試験サンプルを３ヶ月間屋外に暴露し、その状態を観察した。
【００４５】
【表１】
0003971529.tif 000002
【００４６】
【表２】
0003971529.tif 000003
【００４７】
以上の結果より、カッティング作業性、剥離作業性、及び屋外暴露に対する耐候性について、本発明の再帰反射シートは、比較例の再帰反射シートに比して、優れた効果が得られることが明らかである。また、再帰反射シートからの透明フィルム層の切り取り易さ及び切り取って押圧した後の該透明フィルム層の剥がれ難さについては、実施例のものが極めて良好であった。
【００４８】
【発明の効果】
本発明の再帰反射シートは、情報伝達のための優れた視認性を有する文字や模様を容易に且つ安価に形成でき、且つ使用中にフィルム層が剥がれ難いものである。
【図面の簡単な説明】
【図１】図１は、本発明の再帰反射シートの第１実施形態を示す概略断面図である。
【図２】図２は、図１の再帰反射シートの一使用形態の要部を示す概略断面図である。
【図３】図３は、図１の再帰反射シートの要部を拡大して示す概略断面図である。
【図４】図４は、図１の再帰反射シートの一使用形態を示す平面図である。
【図５】図５は、本発明の再帰反射シートの第２実施形態を透明フィルム層を省略して示す平面図である。
【図６】図６は、本発明の再帰反射シートの第３実施形態の一使用形態の要部を示す概略断面図である。
【符号の説明】
１  再帰反射シート
２  反射基板
２’反射基板の部分
３  感圧接着剤の層
４  透明フィルム層
４’透明フィルム層の一部
５  固体粒子
６  情報領域
７  背景領域
８  非塗布部
９  別の透明フィルム層
【図１】
0003971529.tif 000004
【図２】
0003971529.tif 000005
【図３】
0003971529.tif 000006
【図４】
0003971529.tif 000007
【図５】
0003971529.tif 000008
【図６】
0003971529.tif 000009